(57)【要約】【課題】端末より送信されたセキュリティコードを受信したセキュリティロックシステムが受信したコードをセキュリティサーバに送信して認証を行い、施錠、開錠を行うセキュリティシステムにおいて、セキュリティコードの更新期間を不定期にし、人為的な処理を介さないでセキュリティコードの更新を行う。【解決手段】端末１０１の通信可能範囲に別の端末１０２が入ると、端末内で仮セキュリティコードが生成され、無線通信手段によってセキュリティサーバ１０４に送信される。セキュリティサーバ１０４はそれぞれの端末が正当なものかを認証し、送られてきた２つの仮セキュリティコードを使用して新しいセキュリティコードを生成する。サーバ内のセキュリティコードを新しいコードで置き換える。無線通信可能範囲内の無線通信端末に対して新しいセキュリティコードを配信する。【選択図】　　　　　図１
2004032072.tif 000002
【特許請求の範囲】
【請求項１】
無線通信端末同士が通信する近距離通信手段と、前記無線通信端末同士により新たに生成された仮セキュリティコードをセキュリティサーバへ送信する長距離無線通信手段と、前記セキュリティサーバにおいて受信した前記仮セキュリティコードを認証して更新する手段と、該更新されたセキュリティコードを前記各無線通信端末に広域送信する通信手段とを備え、無線通信端末同士が接近したことを契機にして新しいセキュリティコードを生成し更新して各無線通信端末に配布することを特徴としたセキュリティシステムにおけるセキュリティコード更新方式。
【請求項２】
前記セキュリティサーバは、無線通信端末と通信し該無線通信端末から端末ＩＤと仮セキュリティコードを受信する長距離無線通信手段と、前記無線通信端末から得た仮セキュリティコードと別の無線通信端末から得た仮セキュリティコードを元に計算式によって新たなセキュリティコードを生成すると共に前記端末ＩＤが有効な端末かを確認した結果が有効であればこれまでのセキュリティコードを新たに生成した前記セキュリティコードに更新するセキュリティコード更新手段と、該セキュリティコード更新手段で更新した前記新しいセキュリティコードを前記長距離無線通信手段を利用してその通信可能範囲内に存するすべての無線通信端末に対して一斉に配信するセキュリティコード配布手段と、セキュリティロックシステムからのセキュリティ認証要求及びセキュリティコードを受信しその認証結果を前記セキュリティロックシステムに対して返信する通信手段と、前記セキュリティロックシステムから受信したセキュリティコードを該セキュリティサーバシステムが有しているセキュリティコードと照合しその結果を出力する認証手段とを具備することを更に特徴とする請求項１に記載のセキュリティシステムにおけるセキュリティコード更新方式。
【請求項３】
第１の無線通信端末の短距離無線通信可能範囲に第２の無線通信端末が入ると該第１、第２の無線通信端末に仮セキュリティコードが生成される該第１、第２の無線通信端末を含む複数の無線通信端末と、該第１、第２の無線通信端末から送信された前記仮セキュリティコードを使用して新しいセキュリティコードを生成し自己のセキュリティコードを前記新しいセキュリティコードに置き換えると共に前記各無線通信端末に前記新しいセキュリティコードを配信するセキュリティサーバとを有することを特徴としたセキュリティシステムにおけるセキュリティコード更新方式。
【請求項４】
前記無線端末と対向で通信する近距離無線通信手段と、該無線通信手段によって受信したセキュリティコードを前記セキュリティサーバに送信し認証を依頼する情報送信手段と、前記セキュリティサーバからの認証結果を受信する情報受信手段と、該情報受信手段により取得した前記認証情報に従って開錠処理あるいは施錠処理を行うロック手段とを備えたセキュリティロックシステムを有することを更に特徴とする請求項３に記載のセキュリティシステムにおけるセキュリティコード更新方式。
【請求項５】
前記請求項４において、ファイルを送信するファイル送信手段を具備し、前記セキュリティロックシステムにより開錠処理された場合に、該ファイル送信手段によりファイルを配布することを特徴としたセキュリティシステムにおけるファイル配布方式。
【請求項６】
前記複数の無線通信端末は、長距離の通信を可能とする無線通信手段と、セキュリティシステムの暗証番号となるセキュリティコードを記憶する記憶装置と、自端末を特定する固有認識コードを記憶する記憶装置と、セキュリティコードや固有認識コードを近距離の通信相手とやり取りするための無線通信手段と、乱数により新しいセキュリティコードを発生させるコード生成手段とを備えたことを更に特徴とする請求項３または４のいずれか一項に記載のセキュリティシステムにおけるセキュリティコード更新方式。
【請求項７】
前記セキュリティサーバは、長距離の通信を可能とする無線通信手段と、前記無線通信端末より受信したセキュリティコードを元に新しいセキュリティコードを生成するコード生成手段と、前記無線通信手段を使用してセキュリティコードを前記無線通信端末に対して配布するための手段と、前記セキュリティロックシステムと通信する通信手段と、前記セキュリティロックシステムからのセキュリティ認証要求に対して認証処理を行う認証手段とを備えたことを更に特徴とする請求項３〜４のいずれか一項に記載のセキュリティシステムにおけるセキュリティコード更新方式。
【請求項８】
前記セキュリティサーバ内の前記コード生成手段は、前記第１、第２の無線通信端末から送信された端末ＩＤを確認して該端末ＩＤが有効であると判断した場合にセキュリティコードの更新処理に入り前記第１、第２の無線通信端末から送られてきた仮セキュリティコードＳＣ１、ＳＣ２を使用して
ＳＣｎｅｗ＝ｆ（ＳＣ１　，ＳＣ２　）
の計算式により新しいセキュリティコードを生成することを更に特徴とする請求項３または７のいずれか一項に記載のセキュリティシステムにおけるセキュリティコード更新方式。
【発明の詳細な説明】
【０００１】
【発明の属する技術分野】
本発明は、セキュリティコード更新方式に関し、特に、無線通信を利用したセキュリティシステムのセキュリティコードを更新し配布し認証を行うセキュリティ管理手法に関する。
【０００２】
【従来の技術】
従来の無線通信を利用したセキュリティシステムにおけるセキュリティコードの管理の第１の従来例を図７、図８に示す。
【０００３】
図７、図８に示すように、第１の従来例によるシステムは、
セキュリティシステムの暗証番号となるセキュリティコードを記憶する記憶装置（図８の８０２）と、セキュリティコードを近距離の通信相手とやり取りするための無線通信手段（図８の８０１）とを備えた無線通信端末システム（図７の７０１）と、無線端末７０１と対向で通信する近距離無線通信手段と、この無線通信手段によって受信したセキュリティコードをセキュリティサーバ７０３に送信し認証を依頼する情報送信手段と、セキュリティサーバ７０３からの認証情報を受信する情報受信手段と、前記認証情報に従って開錠処理あるいは施錠処理を行うロック手段とを備えたセキュリティシステム（図７の７０２）と、セキュリティロックシステム７０２と通信する通信手段と、セキュリティロックシステム７０２からのセキュリティ認証要求に対して認証処理を行う認証手段と、セキュリティコードを一定期間ごとに更新するかあるいは人為的な操作によって更新するセキュリティコード更新プログラムとを備えたことを特徴とするセキュリティサーバシステム（図７の７０３）とから構成されている。
【０００４】
このような構成を有する第１の従来例によるセキュリティシステムは次のように動作する。
【０００５】
即ち、セキュリティロックシステム７０２を解除しようとするときに、無線通信端末７０１からセキュリティコードをセキュリティロックシステム７０２へ送信する。セキュリティロックシステム７０２は受信したセキュリティコードをセキュリティサーバ７０３へ送信して認証を行う。セキュリティサーバ７０３は認証確認を行い、セキュリティコードが正当であればセキュリティロックシステム７０２に開錠するように通知する。通知を受けたセキュリティロックシステム７０２は開錠処理を行う。
【０００６】
以上に示すように第１の従来例によるシステムでは無線通信端末によって開錠を行うことができる。
【０００７】
このシステムにおいてセキュリティの暗証番号となるセキュリティコードはセキュリティサーバにおいて一定期間ごとにコンピュータプログラムによってランダム生成されて更新される。あるいはセキュリティサーバ管理者が人為的な操作を行うことによって管理者が入力したコードに更新される。更新されたセキュリティコードは無線通信端末の使用者に通達され無線通信端末のメモリ上のセキュリティコードも使用者によって更新される。このようにして無線通信端末とセキュリティサーバが同じセキュリティコードを保持することによってセキュリティを実現する。
【０００８】
第２の従来例として、特開平１１−１２０３９７号公報に開示された技術を挙げることができる。
【０００９】
この第２の従来例に開示されたセキュリティシステムは、暗証番号を可変設定する設定手段と、この設定手段で設定した暗証番号を特定者に、あるいは特定者の要求に応じてその特定者に知らせる通知手段と、入力される暗証番号と設定手段で設定した暗証番号との照合により人物を認証する認証手段とを備えていることを特徴としている。
【００１０】
第３の従来例として、特開平１１−２５２０６７号公報に開示された技術を挙げることができる。
【００１１】
この第３の従来例に開示されたセキュリティオペレーション制御方法は、要求を出す側のクライアントとその要求を処理する側のターゲットがセキュリティサーバを介して通信する場合に、通信制御を行う手段を通信開始毎に設置し、通信終了時に消滅させることを特徴とし、これにより、通信毎にセキュリティ管理情報を制御するので、セキュリティ条件の異なる通信が１つのセキュリティサーバで安全かつ容易に実現することができる。
【００１２】
【発明が解決しようとする課題】
しかしながら、叙上の第１の従来例には以下に示すような欠点があった。
【００１３】
第１の問題点は、サーバプログラムによるセキュリティコードの更新の場合に、更新期間は一定ということである。セキュリティコードの更新期間が一定である場合には、そのプログラムに規定された期間中は同じコードが使用され、セキュリティコードの漏洩などに対して次の更新期間まで漏洩したコードが自由に使用される脆弱性がある。
【００１４】
第１の従来例による第２の問題点は、セキュリティサーバ管理者によるセキュリティコードの更新の場合に、上記第１の問題点はクリアできるが、自動化されたシステムに人為的なプロセスが組み込まれるためにセキュリティサーバの運用においてその部分が非効率になることである。
【００１５】
上記第２の従来例には、上記第１の従来例とほぼ同様な課題があった。
【００１６】
また、上記第３の従来例は、セキュリティをほぼ完全に達成することは可能であるが、制御が複雑化する課題がある。
【００１７】
本発明は従来の上記実情に鑑み、従来の技術に内在する上記課題を解決する為になされたものであり、従って本発明の目的は、更新タイミングを人為的な操作によらずかつ不定期に更新することができる無線通信を利用した新規なセキュリティコード更新手段を提供することにある。
【００１８】
【課題を解決するための手段】
上記目的を達成する為に、本発明に係るセキュリティシステムにおけるセキュリティコード更新方式は、無線通信端末同士が通信する近距離通信手段と、前記無線通信端末同士により新たに生成された仮セキュリティコードをセキュリティサーバへ送信する長距離無線通信手段と、前記セキュリティサーバにおいて受信した前記仮セキュリティコードを認証して更新する手段と、該更新されたセキュリティコードを前記各無線通信端末に広域送信する通信手段とを備えて構成され、無線通信端末同士が接近したことを契機にして新しいセキュリティコードを生成し更新して各無線通信端末に配布することを特徴としている。
【００１９】
前記セキュリティサーバは、無線通信端末と通信し該無線通信端末から端末ＩＤと仮セキュリティコードを受信する長距離無線通信手段と、前記無線通信端末から得た仮セキュリティコードと別の無線通信端末から得た仮セキュリティコードを元に計算式によって新たなセキュリティコードを生成すると共に前記端末ＩＤが有効な端末かを確認した結果が有効であればこれまでのセキュリティコードを新たに生成した前記セキュリティコードに更新するセキュリティコード更新手段と、該セキュリティコード更新手段で更新した前記新しいセキュリティコードを前記長距離無線通信手段を利用してその通信可能範囲内に存するすべての無線通信端末に対して一斉に配信するセキュリティコード配布手段と、セキュリティロックシステムからのセキュリティ認証要求及びセキュリティコードを受信しその認証結果を前記セキュリティロックシステムに対して返信する通信手段と、前記セキュリティロックシステムから受信したセキュリティコードを該セキュリティサーバシステムが有しているセキュリティコードと照合しその結果を出力する認証手段とを備えている。
【００２０】
本発明に係るセキュリティシステムにおけるセキュリティコード更新方式はまた、第１の無線通信端末の短距離無線通信可能範囲に第２の無線通信端末が入ると該第１、第２の無線通信端末に仮セキュリティコードが生成される該第１、第２の無線通信端末を含む複数の無線通信端末と、該第１、第２の無線通信端末から送信された前記仮セキュリティコードを使用して新しいセキュリティコードを生成し自己のセキュリティコードを前記新しいセキュリティコードに置き換えると共に前記各無線通信端末に前記新しいセキュリティコードを配信するセキュリティサーバとを備えて構成される。
【００２１】
前記無線端末と対向で通信する近距離無線通信手段と、該無線通信手段によって受信したセキュリティコードを前記セキュリティサーバに送信し認証を依頼する情報送信手段と、前記セキュリティサーバからの認証結果を受信する情報受信手段と、該情報受信手段により取得した前記認証情報に従って開錠処理あるいは施錠処理を行うロック手段とを備えたセキュリティロックシステムを有している。
【００２２】
ファイルを送信するファイル送信手段を設け、前記セキュリティロックシステムにより開錠処理された場合に、該ファイル送信手段によりファイルを配布する。
【００２３】
前記複数の無線通信端末は、長距離の通信を可能とする無線通信手段と、セキュリティシステムの暗証番号となるセキュリティコードを記憶する記憶装置と、自端末を特定する固有認識コードを記憶する記憶装置と、セキュリティコードや固有認識コードを近距離の通信相手とやり取りするための無線通信手段と、乱数により新しいセキュリティコードを発生させるコード生成手段とを具備している。
【００２４】
前記セキュリティサーバは、長距離の通信を可能とする無線通信手段と、前記無線通信端末より受信したセキュリティコードを元に新しいセキュリティコードを生成するコード生成手段と、前記無線通信手段を使用してセキュリティコードを前記無線通信端末に対して配布するための手段と、前記セキュリティロックシステムと通信する通信手段と、前記セキュリティロックシステムからのセキュリティ認証要求に対して認証処理を行う認証手段とを備えている。
【００２５】
前記セキュリティサーバ内の前記コード生成手段は、前記第１、第２の無線通信端末から送信された端末ＩＤを確認して該端末ＩＤが有効であると判断した場合にセキュリティコードの更新処理に入り前記第１、第２の無線通信端末から送られてきた仮セキュリティコードＳＣ１、ＳＣ２を使用して
ＳＣｎｅｗ＝ｆ（ＳＣ１　，ＳＣ２　）
の計算式により新しいセキュリティコードを生成する。
【００２６】
【発明の実施の形態】
次に、本発明をその好ましい一実施の形態について図面を参照しながら詳細に説明する。
【００２７】
図１は本発明による一実施の形態を示すブロック構成図である。
【００２８】
【実施の形態の構成】
図１を参照するに、本発明の一実施の形態は、無線通信端末１０１および１０２と、セキュリティロックシステム１０３と、セキュリティサーバシステム１０４とから構成されている。
【００２９】
無線通信端末１０１および１０２は、図２を参照すると、セキュリティサーバシステム１０４と通信するための長距離無線手段２０１と、他の無線通信端末やセキュリティロックシステム１０３と通信するための近距離無線通信手段２０２と、セキュリティコードを記憶しておくための記憶装置２０３と、端末個別の識別番号（以下端末ＩＤ）を記憶する記憶装置２０４と、仮のセキュリティコードを生成するコード生成手段２０５とを含む。
【００３０】
これらの手段２０１〜２０５はそれぞれ次のように動作する。
【００３１】
長距離無線通信手段２０１は、セキュリティサーバシステム１０４と無線通信により通信を行うことができ、無線通信端末側から端末ＩＤと仮のセキュリティコードを送信することができ、またセキュリティサーバシステム１０４から配信された新しいセキュリティコードを受信することができる。
【００３２】
近距離無線通信手段２０２は、セキュリティロックシステム１０３と無線通信により通信を行うことができ、セキュリティロックシステム１０３に対して認証のための端末ＩＤとセキュリティコードと開錠要求とを送信することができる。近距離無線通信手段２０２は、また、通信可能範囲内に他の無線通信端末が入っているかどうかを検知し、この通信可能範囲内に他の端末がある場合にはその端末と無線通信することができる。
【００３３】
記憶装置２０３は、セキュリティロックシステム１０３を開錠するためのセキュリティコードを記憶している。また、セキュリティサーバシステム１０４から新たに配信されたセキュリティコードを元のコードに上書きして記憶することができる。
【００３４】
記憶装置２０４は、無線通信端末の個別にユニークな番号である端末ＩＤを記憶する。この記憶装置２０４のデータは更新したり消去したりすることはできない。
【００３５】
コード生成手段２０５は、乱数を利用してセキュリティコードと同じサイズのコードデータを生成することができる。このコードデータは仮のセキュリティコードとしてセキュリティサーバシステム１０４に送信される。
【００３６】
セキュリティロックシステム１０３は、図３を参照すると、無線通信端末と通信するための近距離無線通信手段３０１と、セキュリティサーバシステム１０４にセキュリティコードとその認証要求を送信するための送信手段３０２と、認証結果を受信するための受信手段３０３とロック手段３０４とを含む。
【００３７】
このセキュリティロックシステム１０３は、本発明によるセキュリティの対象を一例としてドア等の鍵、いわゆる施錠の開閉に適用した場合に使用される手段であり、セキュリティコードによって施錠の開閉動作を実行する。このセキュリティロックシステム１０３の上記各要素３０１、３０２、３０３、３０４はそれぞれ次のように動作する。
【００３８】
即ち、近距離無線通信手段３０１は、他の無線通信端末と対向で無線通信を行い、接続した無線通信端末３０５より端末ＩＤ、セキュリティコード、開錠要求を受信する。
【００３９】
送信手段３０２は、無線通信端末３０５より近距離無線通信手段３０１を介して送られてきたセキュリティコードが正しいかどうかをセキュリティサーバシステム１０４に認証してもらうためにセキュリティコードとその認証要求を送信するための経路手段である。
【００４０】
受信手段３０３は、送信手段３０２によって要求した認証の結果を受信するための経路手段である。
【００４１】
ロック手段３０４は、通常時には施錠状態であり、受信手段３０３より得られた認証結果に対し、認証可であれば開錠し、認証不可であれば施錠状態を継続する。
【００４２】
セキュリティサーバシステム１０４は、図４を参照すると、無線通信端末と通信するための長距離無線通信手段４０１と、セキュリティコード更新手段４０３と、無線通信端末に対してのセキュリティコード配布手段４０４と、セキュリティロックシステム１０３との通信手段４０５と、セキュリティコードの認証手段４０６とを含む。
【００４３】
このセキュリティサーバシステム１０４はそれぞれ次のように動作する。
【００４４】
即ち、長距離無線通信手段４０１は、無線通信端末と通信し端末から端末ＩＤと仮のセキュリティコードを受信する。
【００４５】
セキュリティコード更新手段４０３は、無線端末から得た仮のセキュリティコードと別の無線通信端末から得た仮のセキュリティコードとを元に計算式によって新たなセキュリティコードを生成する。次に、端末ＩＤが有効な端末かを確認し有効であればセキュリティコードを新たに生成したものに更新する。
【００４６】
セキュリティコード配布手段４０４は、長距離無線通信手段４０１を利用しその通信可能範囲内にあるすべての無線通信端末に対してセキュリティコード更新手段４０３で更新した新しいセキュリティコードを一斉に配信する。
【００４７】
通信手段４０５は、セキュリティロックシステム１０３からのセキュリティ認証要求およびセキュリティコードを受信し、またその認証結果をセキュリティロックシステム１０３に対して返信する。
【００４８】
認証手段４０６は、セキュリティロックシステム１０３から受信したセキュリティコードをセキュリティサーバシステム１０４が持っているセキュリティコードと照合し、その結果を出力する。
【００４９】
【実施の形態の動作】
次に、図１〜図６を参照して本発明による一実施の形態の全体の動作について詳細に説明する。
【００５０】
まず、本セキュリティシステムにおいて、セキュリティコードの更新は図５に示すように複数の無線通信端末の接近により励起される。無線通信端末５０１および５０２は、使用者に所持され自由に移動を行うことができる。無線通信端末５０１の近距離無線通信手段の通信圏５０３の中に無線通信端末５０２が入ると無線通信端末５０１は無線通信端末５０２と無線接続する（図６のステップ６０１）。
【００５１】
次に、接続した相手の端末ＩＤおよびセキュリティコードを更新することにより相手を相互に認証する（図６のステップ６０２）。
【００５２】
次に、無線通信端末のセキュリティコード生成手段（図２の２０５）により仮のセキュリティコードを生成し（図６のステップ６０３）、生成した仮セキュリティコードをセキュリティサーバシステム１０４に送信する（図６のステップ６０４）。
【００５３】
次に、仮セキュリティコードを受信したセキュリティサーバシステム１０４は送信してきた携帯無線端末（図１の１０１、１０２）の端末ＩＤを確認し、その端末から送られてきた情報が有効であると判断した場合には、セキュリティコードの更新処理に入る。携帯無線端末１０１、１０２から送られてきた仮セキュリティコードＳＣ１　、ＳＣ２　を利用し、下記の特定計算式
ＳＣｎｅｗ　＝ｆ（ＳＣ１　，ＳＣ２　）
により新しいセキュリティコードを生成し、セキュリティサーバシステム１０４内のセキュリティコードをこの新しいコードに置き換える（図６の６０５）。
【００５４】
次に、更新したセキュリティコードを長距離無線通信手段（図４の４０４）を使用してその通信可能範囲内にいるすべての無線通信端末に対して配信する（図６の６０６）。
【００５５】
次に、配信されたセキュリティコードを受信した無線通信端末はセキュリティコードを記憶している記憶装置（図２の２０３）の情報を新しいセキュリティコードに置き換える（図６の６０７）。
【００５６】
以上の動作によって、セキュリティシステムのセキュリティコードは更新される。
【００５７】
セキュリティロックシステム１０３を開錠するには、図３に示すように、携帯無線端末３０５から開錠要求およびセキュリティコードが送信され、セキュリティロックシステム１０３の無線通信手段３０１がそれらを受信する。受信したセキュリティコードを通信手段３０２によってセキュリティサーバシステム１０４に送信して認証要求を行う。認証要求を受けたセキュリティサーバシステム１０４はセキュリティコードが有効であるかどうかを確認する。その結果は、通信手段３０３を通してセキュリティロックシステム１０３に通知される。セキュリティロックシステム１０３は認証結果に従ってロック手段３０４を開錠するか、あるいは開錠しない。セキュリティロックシステム１０３は開錠の是非を携帯端末３０５に返送することができる。携帯端末３０５は、セキュリティロックシステム１０３から開錠の通知を受けた場合には、データまたはファイルの送信が可能となる。
【００５８】
【他の実施の形態】
叙上の本発明による一実施の形態においては、セキュリティシステムを施錠の開閉に適用した場合について説明したが、ガスの元栓の確認あるいは石油ストーブ、電気ストーブの点火部の点検についても同様に本発明を適用することが可能である。
【００５９】
また、セキュリティロックシステム１０３の対象をファイルサーバ（ファイル送信手段）とし、セキュリティロックシステム１０３の開錠の結果、ファイルの送信を開始することができる。特に、セキュリティロックシステム１０３を電気的なゲート回路により構成し、セキュリティコードによりこのゲート回路のゲートを開閉制御して、ゲート開のときにその情報を携帯端末に通知することにより、ファイルサーバからゲート回路を通して秘匿情報等を特定の相手方に送信することができる。
【００６０】
例えば、楽曲データを配信するデータ配信手段を設け、セキュリティロックシステム１０３の開錠により、楽曲データを配信するように構成することも可能である。
【００６１】
【発明の効果】
本発明は以上の如く構成され、作用するものであり、本発明によれば、セキュリティコードの更新タイミングを人為的な操作に頼らずに不定期に発生させられることにあり、従って、極めて高いセキュリティ効果が得られる。
【００６２】
その理由は、複数の無線通信端末がある一定距離内に接近するという偶然によって更新処理を励起させられるためである。
【図面の簡単な説明】
【図１】本発明による一実施の形態を示すブロック構成図である。
【図２】図１に示された無線通信端末の一実施の形態を示すブロック構成図である。
【図３】本発明に係るセキュリティロックシステムの一実施例を示すブロック構成図である。
【図４】本発明に係るセキュリティサーバシステムの一実施例を示すブロック構成図である。
【図５】本発明による一実施の形態におけるセキュリティコード更新の契約となる無線通信端末の接近を示す動作説明図である。
【図６】本発明による一実施の形態の動作を示すフローチャートである。
【図７】従来技術を示すブロック図である。
【図８】従来技術による無線通信端末のブロック図である。
【符号の説明】
１０１、１０２…無線通信端末
１０３…セキュリティロックシステム
１０４…セキュリティサーバシステム
２０１…長距離無線通信手段
２０２…近距離無線通信手段
２０３…記憶装置
２０４…読み出し専用記憶装置
２０５…仮セキュリティコード生成手段
３０１…近距離無線通信手段
３０２…情報送信手段
３０３…情報受信手段
３０４…ロック手段
３０５…無線通信端末
３１１…無線通信端末からセキュリティロックシステムへの無線通信
４０１…無線通信端末からセキュリティサーバへの長距離無線通信手段
４０２…無線通信端末からの情報受信の流れ
４０３…セキュリティコード生成手段
４０４…セキュリティサーバから無線通信端末への長距離無線配信手段
４０５…セキュリティサーバとセキュリティロックシステムの通信手段
４０６…認証手段
５０１、５０２…無線通信端末
５０３…無線通信手段５０１の近距離無線通信可能範囲
７０１…無線通信端末
７０２…セキュリティロックシステム
７０３…セキュリティサーバシステム
８０１…近距離無線通信手段
８０２…記憶装置
【図１】
2004032072.tif 000003
【図２】
2004032072.tif 000004
【図３】
2004032072.tif 000005
【図４】
2004032072.tif 000006
【図５】
2004032072.tif 000007
【図６】
2004032072.tif 000008
【図７】
2004032072.tif 000009
【図８】
2004032072.tif 000010